(57)【特許請求の範囲】
【請求項１】
情報信号を記録するためのディスク（１）と、ディスク（１）を収容した本体ケース（２）とを備えており、
本体ケース（２）の下面に設けた凹所（８）に、位置決め用基準穴（７）が形成されており、
ディスクドライブ（Ｄ）の装填口（１３）へ挿入される本体ケース（２）の正規の挿入方向側の側面壁（１２）に、前記装填口（１３）の内奥に設けた誤挿入防止用突部（１４）の導入を許す凹部（１１）が、前記凹所（８）に連続して設けられているディスクカートリッジ。
【請求項２】
前記凹部（１１）の内奥に、誤挿入防止用突部（１４）が突き当たる突当壁面（１５）が設けられている請求項１記載のディスクカートリッジ。
【請求項３】
四角形状の本体ケース（２）の縦寸法（Ｗ）と横寸法（Ｗ′）とがほぼ同一寸法に設定されている請求項１又は２記載のディスクカートリッジ。  
【発明の詳細な説明】
【０００１】
【発明の属する技術分野】
本発明は、光磁気ディスクに代表されるディスクカートリッジに関する。
【０００２】
【従来の技術】
この種のディスクカートリッジは、情報信号を記録するためのディスク、このディスクを収容する本体ケース、および本体ケースに開口した信号読み書き窓を開閉するシャッターなどで構成される。そして、本体ケースは縦寸法と横寸法とをほぼ同一寸法にする四角形状に形成されていて、ディスクドライブへの挿入方向が判りにくいため、本体ケースの表面に矢印などの挿入方向指示マークが印刷や刻印などで施されているのが一般的である。
【０００３】
【発明が解決しようとする課題】
しかるに、ディスクドライブ、とくにポータブル型のディスクドライブ（ディスクプレイヤー）が小形で薄く軽量化されるに応じてディスクカートリッジも小型化されるが、これに伴い挿入方向指示マークも小さく表示せざるを得ずして見にくくなり、また印刷表示された挿入方向指示マークは使用に伴い他物との擦れなどにより薄く消えるため、ディスクドライブへの挿入方向が誤りやすくなるという問題があった。
【０００４】
本発明の目的は、このような問題を解消するためになされたものであり、ディスクカートリッジが小型化される場合もディスクドライブへの誤挿入防止を全うできるディスクカートリッジを提供することにある。
【０００５】
【課題を解決するための手段】
本発明は、図８に示すごとく情報信号を記録するためのディスク１と、ディスク１を収容した本体ケース２とを備えているディスクカートリッジにおいて、ディスクドライブＤの装填口１３へ挿入される本体ケース２の正規の挿入方向側の側面壁１２に、前記装填口１３の内奥に設けた誤挿入防止用突部１４の導入を許す凹部１１が設けられていることに特徴を有するものである。
【０００６】
【作用】
ディスクドライブＤの装填口１３に対しディスクカートリッジをこれの凹部１１を有する側面壁１２から挿入すると、図８に示すごとく誤挿入防止用突部１４が凹部１１に導入するため、ディスクカートリッジをディスクドライブＤに所定の挿入深さにまで挿入することができる。
【０００７】
しかし、ディスクカートリッジを正規の挿入方向とは前後逆方向に１８０°反転させて、凹部１１を有する側面壁１２とは反対側の側面壁１６からディスクドライブに誤挿入すると、図９に示すごとくディスクドライブ側の誤挿入防止用突部１４に側面壁１６が当接して所定挿入深さにまで完全に挿入することができず、この不完全な挿入状態では凹部１１を有する側面壁１２を装填口１３から突出することになるため、これが誤挿入であることを容易に確認できる。また本体ケース２を正規の挿入方向とは９０°異なる方向に、すなわち凹部１１を有する側面壁１２に隣接する側面壁１７又は１８からディスクドライブに誤挿入した場合も然りである。
【０００８】
【発明の実施の形態】
本発明に係るディスクカートリッジの一実施例を図面に基づき説明する。図１および図２において、ディスクカートリッジは、情報信号を記録する光磁気ディスクなどのディスク１と、このディスク１を回転自在な状態で収容する本体ケース２とからなり、例えば、ミニディスクと俗称されるものである。
【０００９】
本体ケース２は、それぞれプラスチック成形された上ケース２ａと下ケース２ｂとを蓋合わせ状に接合してなり、その縦寸法Ｗと横寸法Ｗ′とがほぼ同一寸法の四角形状に形成してある。上下ケース２ａ・２ｂの左右一側部には、信号読み書き窓３を開口してあり、この窓３は本体ケース２に前後方向にスライド自在に装着したシャッター４で開閉できる。シャッター４は図外のばねで閉じ勝手に移動付勢されており、さらに閉じ位置においてロック機構でロック保持される。図２に示すごとく下ケース２ｂの下面中央には、ディスク１の中央に装着したハブ５を臨ませるためのディスク駆動穴６が開口されている。
【００１０】
図２および図６において、下ケース２ｂの下面における前端寄りの左右隅部には、ディスクドライブＤに本体ケース２をこれの前端側から挿入して装填したとき図６に示すごとくディスクドライブ側の位置決めピンＰが挿入する位置決め用基準穴７を設けている。左右の位置決め用基準穴７・７のうちの一方は丸穴に、他方は長穴に形成する。
位置決め用基準穴７の形成にあたっては、下ケース２ｂの下面に凹所８を形成し、この凹所８の中央付近に位置決め用基準穴７を形成する。これは、図６に示すごとくディスクカートリッジＣをディスクドライブＤに装填したとき、位置決め用基準穴７にディスクドライブ側の位置決めピンＰが挿入するとともに、位置決めピンＰの突出基端に設けた座部９で下ケース２ｂの下面が受け止められるが、そのとき位置決めピンＰの座部９より下方部分が凹所８内に納まるようにするためである。これにより、図６に示すごとく凹所８の深さ寸法ａ分だけディスクドライブＤを薄形化し、小型化することができる。
【００１１】
また、左右の各凹所８は本体ケース２の左右外側方に開放する開口８ａを有する形に形成している。従って、図７のようにディスクドライブＤにディスクカートリッジＣをこれの前端側から装填したとき、ディスクドライブ側のローディング部材１０・１０の係合部１０ａ・１０ａが、左右方向の横外側方から凹所８にこれの開口８ａを介して係入し、各ローディング部材１０の係合部１０ａが各凹所８の前側壁８ｂに係合して、ディスクカートリッジＣをディスクドライブＤ内の矢印Ｑ方向へ自動的に引き込み装填する。ディスクドライブＤからディスクカートリッジＣを取り出すときは、ローディング部材１０の係合部１０ａが各凹所８の後側壁８ｃに係合して、ディスクカートリッジＣの自動取り出しを行う。
【００１２】
そして、本体ケース２にはディスクドライブＤへの誤挿入を防止する目的のために凹部１１を設ける。図２ないし図５に示すごとく、この凹部１１は本体ケース２の正規の挿入方向側である側面壁１２に設ける。図示例では、凹部１１は前側面壁１２の外面上の左右下端から下ケース２ｂの下面にわたって前方および下方に開放する形に形成する。この凹部１１は、図８に示すごとくディスクドライブＤの装填口１３の内奥に設けられた誤挿入防止用突部１４が導入し易いように前方拡開状に形成することが好ましい。
【００１３】
また凹部１１は、図２のように上記位置決め用基準穴７の周辺の凹所８の前側方に連続するように形成する。その際、図５のように凹部１１の凹み深さが凹所８のそれよりも深くなるように形成することで、凹部１１の内奥に突当壁面１５が形成され、この凹部１１に誤挿入防止用突部１４が完全に導入したとき該誤挿入防止用突部１４が突当壁面１５に突き当たるようにする。このように凹所８と凹部１１とを連続状に形成すれば、下ケース２ｂのプラスチック成形時にそれら凹所８および凹部１１を成形するために成形金型に設けられる突起としては、ひとつの段付き状の突起を設けることで済むため、それだけ金型製作の簡素化を図れて有利である。しかし、必ずしも凹所８と凹部１１とを連続状に形成することに限定されるものではなく、本体ケース２の前側面壁１２の、凹所８から完全に分離独立した位置に、凹部１１を設けることもできる。
【００１４】
しかるときは、ディスクドライブＤの装填口１３にディスクカートリッジＣを凹部１１を有する側面壁１２から挿入すると、図８に示すごとく誤挿入防止用突部１４が凹部１１に導入するため、所定の挿入深さにまで挿入することができる。その際、誤挿入防止用突部１４が凹部１１の突当壁面１５に突き当たると同時にディスクカートリッジＣの所定深さが得られるようにしておけば、誤挿入防止用突部１４をディスクカートリッジＣの所定深さ規制部材に兼用することができる。但し、ディスクカートリッジＣの所定深さ規制部材はそれとは別に設ける場合は、必ずしも、凹部１１の内奥にそのような突当壁面１５を設ける必要はない。
【００１５】
仮に、ディスクカートリッジＣの挿入方向を誤って、凹部１１を有する前側面壁１２とは反対側の後側面壁１６からディスクドライブＤに挿入した場合は、図９に示すごとくディスクドライブＤ側の誤挿入防止用突部１４に後側面壁１６が当接するため、ディスクカートリッジＣは所定挿入深さにまで完全に挿入することができず、凹部１１を有する前側面壁１２をディスクドライブＤの装填口１３から突出することになり、これをもって誤挿入であることを知ることができ、その挿入のやり直しを促すことになる。
また、ディスクカートリッジＣを左側面壁１７または右側面壁１８からディスクドライブＤに誤挿入した場合も同様のことが言える。
【００１６】
上記実施例では、凹部１１が側面壁１２の下端寄りにのみ形成されているため、この凹部１１を設ける場合もケース強度を十分に確保できて有利であるが、これに限られず側面壁１２の上下方向全長にわたって凹部１１を形成してもよい。また凹部１１は左右一対設ければ、安定性に優れるが、これに限定されるものではなく、少なくともひとつ設けるものであってもよい。本発明は縦横寸法Ｗ・Ｗ′がほぼ同一寸法に設定されてつかみ方向を定めにくいディスクカートリッジにおいて、特に有効であるが、縦寸法Ｗと横寸法Ｗ′とがその一方を他方よりも長くする長方形のものにも同様に適用できる。
【００１７】
【発明の効果】
本発明によれば、本体ケース２の正規の挿入方向側の側面壁１２に、ディスクドライブＤ側の誤挿入防止用突部１４の導入を許す凹部１１を設けているので、ディスクドライブへの誤挿入を確実に防止できて有利である。
【図面の簡単な説明】
【図１】ディスクカートリッジ全体の平面図である。
【図２】ディスクカートリッジ全体の底面図である。
【図３】図１におけるＸ矢視方向からみた正面図である。
【図４】図１におけるＹ矢視方向からみた側面図である。
【図５】図２におけるＡ−Ａ線拡大断面図である。
【図６】位置決め基準穴部分を使用状態で示す縦断面図である。
【図７】ディスクドライブ内に自動引き込みされる状態のディスクカートリッジの底面図である。
【図８】ディスクドライブへ正規に挿入された状態を示す概略底面図である。
【図９】ディスクカートリッジへ誤挿入された状態を示す概略底面図である。
【符号の説明】
１  ディスク
２ 本体ケース
７ 位置決め用基準穴
８ 凹所
１１  凹部
１２  側面壁
１３  装填口
１４  誤挿入防止用突部
【図１】
0003884765.tif 000002
【図２】
0003884765.tif 000003
【図３】
0003884765.tif 000004
【図４】
0003884765.tif 000005
【図５】
0003884765.tif 000006
【図６】
0003884765.tif 000007
【図７】
0003884765.tif 000008
【図８】
0003884765.tif 000009
【図９】
0003884765.tif 000010